(57)【特許請求の範囲】
【請求項１】
断面円弧状の締付部を備え、前記締付部がバッテリーポストに外嵌されて縮径させられることで、前記バッテリーポストに固定されるバッテリーターミナルであって、
前記締付部には、前記バッテリーポストの軸方向となる上下方向の途中部分に、縮径方向に屈曲して前記バッテリーポストの外周面に対し周方向に沿って当接する屈曲部が設けられ、且つ、前記バッテリーポストの基端側を臨む下端部に、前記屈曲部から拡開して前記バッテリーポストの外周面から離れる拡開部が設けられていることを特徴とするバッテリーターミナル。
【請求項２】
前記屈曲部が、前記締付部の前記上下方向の中央よりも前記バッテリーポストの基端側を臨む下方に設けられていることを特徴とする請求項１記載のバッテリーターミナル。
【発明の詳細な説明】
【技術分野】
【０００１】
本発明は、バッテリーターミナルに関する。
【背景技術】
【０００２】
特許文献１に開示のバッテリーターミナルは、バッテリーポストを包囲する断面円弧状の締付部（弧状締付部）と、締付部の両端から外側に突出する一対の板状突出部とを備えている。締付部がバッテリーポストに外嵌された状態で、ボルトのナットへのねじ込みによって一対の板状突出部が互いに接近することにより、締付部が縮径させられてバッテリーポストに固定される。
【０００３】
バッテリーポストは、円錐台形をなし、外周面が軸方向に対して傾斜する形態になっている。締付部の内周面は、全体がバッテリーポストの外周面の傾斜角とほぼ同一の傾斜角で傾斜するように設定されている。
【先行技術文献】
【特許文献】
【０００４】
【特許文献１】特開２０１０−３３７８３号公報
【発明の概要】
【発明が解決しようとする課題】
【０００５】
上記の場合、締付部の内周面が全体としてバッテリーポストの外周面に当接するように設定されているため、締付部に多少とも製造誤差が生じていると、バッテリーポストに対する締付部の当接位置（締付位置）が安定せず、バッテリーポストへの保持力にばらつきが生じやすいという問題があった。
【０００６】
本発明は上記のような事情に基づいて完成されたものであって、バッテリーポストへの保持力にばらつきが生じるのを抑えることを目的とする。
【課題を解決するための手段】
【０００７】
本発明は、断面円弧状の締付部を備え、前記締付部がバッテリーポストに外嵌されて縮径させられることで、前記バッテリーポストに固定されるバッテリーターミナルであって、前記締付部には、前記バッテリーポストの軸方向となる上下方向の途中部分に、縮径方向に屈曲して前記バッテリーポストの外周面に対し周方向に沿って当接する屈曲部が設けられ、且つ、前記バッテリーポストの基端側を臨む下端部に、前記屈曲部から拡開して前記バッテリーポストの外周面から離れる拡開部が設けられているところに特徴を有する。
【発明の効果】
【０００８】
締付部の上下方向の途中部分に屈曲部が屈曲して設けられ、屈曲部がバッテリーポストの外周面に周方向に沿って当接するため、バッテリーポストに対する締付部の当接位置（締付位置）が屈曲部によって確定させられる。その結果、バッテリーポストに対する締付部の保持力にばらつきが生じにくくなり、保持力が安定する。また、締付部には、バッテリーポストの基端側を臨む下端部に、屈曲部から拡開してバッテリーポストの外周面から離れる拡開部が設けられているため、バッテリーポストが基端側へ向けて拡径する円錐台形の形態であっても、拡開部によって屈曲部がバッテリーポストの外周面に当接する状態が担保される。
【図面の簡単な説明】
【０００９】
【図１】本発明の実施例において、バッテリーターミナルがバッテリーポストに取り付けられた状態を示す破断正面図である。
【図２】図１の要部拡大図である。
【図３】同じく、斜視図である。
【図４】同じく、正面図である。
【図５】バッテリーターミナルの平面図である。
【図６】バッテリーターミナルの側面図である。
【図７】バッテリーターミナルがバッテリーポストに嵌め込み深さを浅くして取り付けられた状態を示す破断正面図である。
【発明を実施するための形態】
【００１０】
本発明の好ましい形態を以下に示す。
【００１１】
前記屈曲部が、前記締付部の前記上下方向の中央よりも前記バッテリーポストの基端側を臨む下方に設けられている。これにより、締付部がバッテリーポストに浅く外嵌された状態になっていても、屈曲部がバッテリーポストの外周面に当接する状態を確保することができる。
【００１２】
＜実施例＞
本発明の実施例を図面に基づいて説明する。実施例のバッテリーターミナル１０は、所定形状の金属板を曲げ加工等して成形され、図３に示すように、バッテリー本体９０の上面から突出するバッテリーポスト８０に取り付けられる。図１〜図４に示すように、バッテリーポスト８０は、上方へ向けて次第に縮径する円錐台形状をなし、外周面が軸方向（上下方向）に対して傾斜する形態になっている。図２に示すように、バッテリーポスト８０の外周面の傾斜角α１（上下方向に対する傾斜角α１）は、全高に亘って一定とされている。
【００１３】
図３に示すように、バッテリーターミナル１０は、電線７０の端末部に接続される電線接続部１１と、バッテリーポスト８０に固定される電極保持部１２と、電極保持部１２と電線接続部１１とをつなぐ連結部１３とを備えている。図５に示すように、連結部１３は、帯板状をなし、電極保持部１２から電線接続部１１にかけて平面視Ｌ字形に屈曲する形態になっている。図５及び図６に示すように、電線接続部１１は、オープンバレル状をなし、上方に突出する一対の圧着片１４を有している。図３に示すように、両圧着片１４は、電線７０の導体７１に圧着により接続されている。
【００１４】
図５に示すように、電極保持部１２は、断面Ｃ字形状（断面円弧状）の締付部１５と、平板状の一対の対向片部１６とを有している。図３に示すように、締付部１５は、湾曲帯板状をなし、バッテリーポスト８０を包囲するように回曲する形態になっている。そして、締付部１５は、全体としてみるとバッテリーポスト８０と同様に円錐台形をなし、バッテリーポスト８０に取り付けられる前の拡径状態からバッテリーポスト８０に取り付けられた後の縮径状態へと縮径方向に変形させられる。また、締付部１５には屈曲部１７が設けられているが、屈曲部１７の具体的構造については後述する。
【００１５】
図５に示すように、締付部１５の周方向の両端縁（開口端縁）は、連結部１３が連なる部位とは反対側（径方向反対側）の位置に配置されている。両対向片部１６は、締付部１５の周方向の両端縁から外側へ一体に突出する形態になっている。図４に示すように、両対向片部１６は、バッテリーポスト８０の軸方向（上下方向）に対して傾斜して配置されている。両対向片部１６間は、ほぼ一定の間隔に保たれている。
【００１６】
図５及び図６に示すように、両対向片部１６には、円形の貫通孔１８がほぼ同軸に貫通して設けられている。図４に示すように、両対向片部１６のうち、相対的に上側に位置する対向片部１６（以下、上側の対向片部１６）には、その外側板面（両対向片部１６が向き合う面とは反対側の板面）に、ナット５０が載置され、相対的に下側に位置する対向片部１６（以下、下側の対向片部１６）には、その外側板面に、ボルト６０の頭部６１が当接して配置される。ボルト６０の軸部６２が下側の対向片部１６の貫通孔１８から上側の対向片部１６の貫通孔１８に通され、上側の対向片部１６の外側板面に載置されたナット５０にボルト６０の軸部６２の先端部がねじ込まれることにより、ボルト６０の頭部６１とナット５０との間に両対向片部１６が挟持されて互いに接近させられる。そして、両対向片部１６が接近させられるに伴い、締付部１５が拡径状態から縮径状態へと縮径方向に変形させられるようになっている。
【００１７】
さて、図１及び図２に示すように、締付部１５には、上下方向の途中に、詳細には締付部１５の上下方向の中央よりも下方（バッテリーポスト８０の基端部を臨む側）に、屈曲部１７が設けられている。屈曲部１７は、締付部１５の下部をプレス加工により縮径方向に突き出るように屈曲させることで形成される。屈曲部１７の内径は、締付部１５の全周に亘ってほぼ同径とされている。また、屈曲部１７は、締付部１５の下部において全周に亘ってほぼ同一高さで連なる形態になっている。図２に示すように、締付部１５の下部の内周面には、屈曲部１７によって周方向に沿った略線状の頂部１９が形成されるようになっている。
【００１８】
図２に示すように、締付部１５における屈曲部１７を挟んだ上下両側のうち、下側の部分の傾斜角α２（上下方向に対する傾斜角α２）は、上側の部分の傾斜角α３よりも大きくされている。締付部１５の上側の部分は、上下方向に対して少し内側へ傾く形態とされ、その傾斜角α３は、バッテリーポスト８０の外周面の傾斜角α１よりも小さくされている。一方、締付部１５の下側の部分は、上下方向に対して外側へ傾く形態とされ、その傾斜角α２は、バッテリーポスト８０の外周面の傾斜角α１よりも大きくされている。ここで、締付部１５の下側の部分は、屈曲部１７から下方へ向けて次第に拡開し、電極保持部１２がバッテリーポスト８０に取り付けられた状態で、バッテリーポスト８０の下部の外周面から離れる形態の拡開部２１とされている。
【００１９】
次に、バッテリーポスト８０にバッテリーターミナル１０を取り付ける方法について説明する。
バッテリーポスト８０に対して上方から拡径状態の締付部１５を外嵌させる。続いて、ナット５０にボルト６０を締め付け、締付部１５を縮径方向に変形させる。すると、図１及び図２に示すように、屈曲部１７の頂部１９がバッテリーポスト８０の下部の外周面に周方向に沿ってほぼ線接触状態で当接する。こうして屈曲部１７がバッテリーポスト８０の外周面に当接することにより、電線７０がバッテリーポスト８０にバッテリーターミナル１０を介して電気的に接続される。また、締付部１５がバッテリーポスト８０の外周面に当接した状態で、拡開部２１は、バッテリーポスト８０の外周面から離れるように拡開して配置される。また、締付部１５のうち、バッテリーポスト８０に当接する部分は、屈曲部１７のみであり、締付部１５の屈曲部１７以外の部分は、バッテリーポスト８０の外周面に実質的に当接しない状態に保たれる。
【００２０】
上記の場合において、仮に、締付部１５がバッテリーポスト８０に浅く外嵌された状態であると、バッテリーポスト８０に対する締付部１５の嵌め込み代が減少し、バッテリーターミナル１０がバッテリーポスト８０から抜け出る可能がある。しかし、本実施例によれば、締付部１５の下部に屈曲部１７が設けられ、この屈曲部１７の頂部１９がバッテリーポスト８０の外周面に当接して保持される状態を確定させるため、図７に示すように、締付部１５の嵌め込みの深さが浅くても、バッテリーターミナル１０がバッテリーポスト８０から抜け出る事態が回避される。
【００２１】
以上説明したように、本実施例によれば、締付部１５の上下方向の途中部分に屈曲部１７が屈曲して設けられ、屈曲部１７がバッテリーポスト８０の外周面に周方向に沿って当接するため、バッテリーポスト８０に対する締付部１５の当接位置（締付位置）が屈曲部１７によって確定させられる。その結果、バッテリーポスト８０に対する締付部１５の保持力にばらつきが生じにくくなり、保持力が安定する。
【００２２】
また、締付部１５には屈曲部１７の下方に拡開部２１が設けられているため、バッテリーポスト８０が基端側へ向けて拡径する形態であっても、締付部１５の下端がバッテリーポスト８０の外周面に当接するのが防止され、屈曲部１７がバッテリーポスト８０の外周面に当接する状態が担保される。
【００２３】
さらに、屈曲部１７が締付部１５の上下方向の中央よりも下方に設けられているため、締付部１５がバッテリーポスト８０に浅く外嵌された状態になっても、屈曲部１７がバッテリーポスト８０の外周面に当接する状態を確保することができる。
【００２４】
＜他の実施例＞
以下、他の実施例を簡単に説明する。
（１）屈曲部は、バッテリーポストの外周面に対して上下方向の所定範囲に亘って面接触状態で当接する構成であってもよい。
（２）締付部のうち、屈曲部以外の部分も、バッテリーポストの外周面に当接する構成であってもよい。
（３）屈曲部は、必ずしも、締付部の全周に亘って設けられていなくてもよい。
【符号の説明】
【００２５】
１０…バッテリーターミナル
１１…電線接続部
１２…電極保持部
１５…締付部
１７…屈曲部
２１…拡開部
８０…バッテリーポスト
【図１】
0006270151.tif 000002
【図２】
0006270151.tif 000003
【図３】
0006270151.tif 000004
【図４】
0006270151.tif 000005
【図５】
0006270151.tif 000006
【図６】
0006270151.tif 000007
【図７】
0006270151.tif 000008